(57)【要約】      （修正有）【課題】リストバンドが付いて携行しやすい紙片めくり用指サックを提供する。【解決手段】手首専用に巻くリストバンド３と、一端がリストバンド３に沿って接合され、もう一端が滑り止め効果を備える面８を設けた指サック体２に接合されたストラップ４からなるリストバンド付き紙片めくり用指サックである。【選択図】図１０
0003215208.tif 000002
【実用新案登録請求の範囲】
【請求項１】
手首専用に巻くリストバンドと、一端が前記リストバンドに沿って接合され、もう一端が滑り止め効果を備える面を設けた指サック体に接合されたストラップと、からなる、
ことを特徴とするリストバンド付き紙片めくり用指サック。
【請求項２】
請求項１に記載のリストバンド付き紙片めくり用指サックであって、前記リストバンドに前記指サック体の一部を収容させる収容スペースが設けられている、
ことを特徴とするリストバンド付き紙片めくり用指サック。
【請求項３】
請求項１、または請求項２に記載のリストバンド付き紙片めくり用指サックであって、前記指サック体を前記リストバンドに脱着可能に固定させるための係止体が設けられている、
ことを特徴とするリストバンド付き紙片めくり用指サック。
【請求項４】
請求項３に記載のリストバンド付き紙片めくり用指サックであって、前記リストバンド上に接合され前記指サック体を前記リストバンドとの間で挟み込むことにより前記指サック体を係止しつつ少なくとも一部を覆うことが可能な指サック留めカバーと、前記係止体が一対状係止体であり、前記一対状係止体の片方が前記指サック体に設けられ、前記一対状係止体のもう片方が、前記指サック留めカバーに設けられている、
ことを特徴とするリストバンド付き紙片めくり用指サック。
【考案の詳細な説明】
【技術分野】
【０００１】  本考案は、紙片めくり用指サックに関する。
【背景技術】
【０００２】事務作業で多くの書類をめくったり、長時間読書をする際などに、指先の摩擦抵抗を増やして紙片やページを捲り易くするためには、親指や人差指にゴムやシリコン製の指サックを使用するのが良い。【０００３】この指サックは筒状、もしくは袋状の形態となっており、該当する指よりも少し小さめに出来ており、装着する際には指サックを伸ばしながら指を差し込み、指サックが指を圧迫することで抜け落ちにくくなっている。表面には細かな凹凸を付けることで紙片やページが捲り易くなっている。例えば一般的な指サックの形態としては、特許文献１や特許文献２に示すようなゴムや樹脂によって、円環状に構成された指サックが提案されている。
【先行技術文献】
【特許文献】
【０００４】
【特許文献１】特開２０１４−２２３７６０
【特許文献２】特願２０１４−９８２８７
【０００５】  また、指サックを指から外した際に失くさないよう、例えば特許文献３に示すようなホルダーと連結部が付いた指サックが提案されている。
【先行技術文献】
【特許文献】
【０００６】
【特許文献３】特開平８−１５６４５２
【考案の概要】
【考案が解決しようとする課題】
【０００７】  ところで、指サックは外出先の図書館で読書をする際に使用したり、職場内などで急に書類整理をする必要が生じて使用したりする場合もある。そのため、紛失しないようになっていて、携行しやすく、さらに汚れなどが付着しないように未使用時には指サックが固定できたり収納できる機能が備えられていることが望ましい。【０００８】さらには長時間使用しても疲れないよう指をなるべく圧迫しない状態を保ちながら、指から抜け落ちないような工夫も必要である。【０００９】  特許文献１や特許文献２に示すような指サックは、指サック部分のみで構成されているため、紛失や携行、収納に関して解決されておらず、また円環状に構成されているため指を圧迫しないと抜け落ちてしまい、長時間の利用には適していない。【００１０】  また特許文献３のような指サックは、ホルダーと連結部により紛失しにくく指を圧迫しなくても指から抜け落ちる心配は少ないが、指サックを固定したり収納する提案がなされておらず、未使用時は指サックがぶら下がった状態となり、携行に最適であるとは言い難い。【００１１】  そこで、本考案は、上記の課題を解決させるため、リストバンドが付いた紙片めくり用指サックを提供することを目的とする。【００１２】
【課題を解決するための手段】
【００１３】  上記課題を解決するために、本考案に係る紙片めくり用指サックは、手首専用に巻くリストバンドと、一端が前記リストバンドに沿って接合され、もう一端が滑り止め効果を備える面を設けた指サック体に接合されたストラップと、からなる、からなるしおりである。【００１４】本考案において、リストバンドに指サック体の一部を収容させる収容スペースが設けられていてもよい。【００１５】また、指サック体をリストバンドに脱着可能に固定させるための係止体が設けられていてもよい。【００１６】また、リストバンド上に接合され、指サック体をリストバンドとの間で挟み込むことにより指サック体を係止しつつ少なくとも一部を覆うことが可能な指サック留めカバーと、係止体が一対状係止体であり、一対状係止体の片方が指サック体に設けられ、一対状係止体のもう片方が、指サック留めカバーに設けられていてもよい。
【考案の効果】
【００１７】  本考案によって、使わない際にはリストバンドとして手首に巻いて携行できる紙片めくり用指サックを提供できる。
【図面の簡単な説明】
【００１８】
【図１】本考案の一実施形態に係るリストバンド付き紙片めくり用指サック１の全体を示す正面図である。
【図２】図１に示すリストバンド付き紙片めくり用指サック１を携行する際の斜視図である。
【図３】図１および図２に示すリストバンド付き紙片めくり用指サック１を書籍のページををめくる際に指サックとして使用する際の斜視図である。
【図４】図１および図２および図３に示すリストバンド付き紙片めくり用指サック１の、指サックの滑り止め効果を備える面の状態を表す図である。
【図５】本考案の一実施形態に係るリストバンド付き紙片めくり用指サック１の一部を収容させる収容スペースを表した斜視図である。
【図６】本考案の一実施形態に係るリストバンド付き紙片めくり用指サック１の係止体を表した斜視図である。
【図７】本考案の一実施形態に係るリストバンド付き紙片めくり用指サック１の指サック留めカバーを指サック体に係止させた状態の斜視図である。
【図８】図７に示すリストバンド付き紙片めくり用指サック１の指サック留めカバーを指サック体から外した状態の平面図である。
【図９】図７および図８に示すリストバンド付き紙片めくり用指サック１の、指サックの滑り止め効果を備える面の状態を表す図である。
【図１０】図７および図８および図９に示すリストバンド付き紙片めくり用指サック１を書籍のページをめくる際に指サックとして使用する際の斜視図である。
【考案を実施するための形態】
【実施例】
【００１９】本考案の好適な実施形態について、添付図面に基づいて説明する。
なお、実施形態は以下の形態に限定されるものではなく、本考案の課題を解決し得るものであれば他の態様も可能である。【００２０】  図１に示すリストバンド付き紙片めくり用指サック１は、本考案を実施するにあたり、一番構成部品数が少なくて済み、低コストな形態となっており、立体形状の指サック体２と、リストバンド３と、ストラップ４よって構成されている。【００２１】  この指サック１の材質としては伸縮するゴムやシリコンなとで形成され、特に指サック体２や指サックの滑り止め効果を備える面８についてはわずかに粘着する素材が良い。リストバンド３はゴムやシリコンなど伸縮する素材か、または手首よりも少し大きめに成形された軟質プラスチックシート材であっても良い。【００２２】  ストラップ４は伸縮するゴムやシリコン、または軟質プラスチックシート材けい形成されるが、なるべく細い方が指サックとして使用した際に邪魔にならない。【００２３】  図２は指サック１を携行する状態を示している。携行の際には、わずかに粘着する指サックの滑り止め効果を備える面８をリストバンド３に粘着させることによって、指サック体２が垂れ下がらずリストバンド状に携行できる。【００２４】図４は指サック１を指サックの滑り止め効果を備える面８を表している。図４の場合には半球上の突起を用いて滑り止め効果を実現しているが、この形状は凹凸で摩擦係数が高くなればどのような形状でも良く、図９に示すような縦筋の凹凸によって滑り止め効果を実現しても良い。【００２５】  さらに、図５に示すように、リストバンド３に指サック体２の一部を収容させる指サック収容スペース５が設けられていてば、指サック体２や指サックの滑り止め効果を備える面８が粘着性を帯びていなくても指サック体２が垂れ下がらずリストバンド状に携行でき、さらに指サック体２が服やカバンに引っかかることがない。【００２６】  図６に示すのは、指サック体２をリストバンド３に脱着可能に固定させるための係止体６が設けられていることを表している。この係止体６は指サック体２のいずれかの場所の、指サックとして使用する際に邪魔にならない位置に配し、リストバンド３と固定できれは良く、ボタンやホック、または面ファスナーなどでも形成されても良い。【００２７】  図７に示すのは、本考案を実施するにあたり、使い勝手として最適と考えられる形態である。指サック留めカバー７を指サック体２をリストバンド３との間で挟み込むことにで指サック体２を係止しつつ、少なくとも一部を覆うことで汚れが付きにくく、服やカバンに引っかかることがない。【００２８】また、係止体６が一対状係止体９からなっており、一対状係止体９の片方が指サック体２の、指サックの滑り止め効果を備える面８の、指入れ部分を跨いで反対側に設けられ、もう片方が、指サック留めカバー７の裏側に設けられている。【００２９】また、指サック体２は立体形状ではなく、薄く畳んだような形状になっており、指サックとして使用しない際には薄くなるため、リストバンド状に携行する際にリストバンド３との一体感が生まれる。【００３０】  図８は、指サック留めカバー７を外した状態を表している。この際に露出する一対状係止体９は、それぞれ面状係止体２０である。面��係止体２０は具体的には面ファスナーであると、コスト面でも使い勝手も良い。【００３１】  図３は本考案を実施するにあたり、一番構成部品数が少なくて済み、低コストな形態で書籍のページをめくる際の状態を表した図である。【００３２】図１０は本考案を実施するにあたり使い勝手として最適と考えられる形態で書籍のページをめくる際の状態を表した図である。【００３３】
【産業上の利用可能性】
【００３４】  上述の考案は、リストバンド付き紙片めくり用指サックとしてだけではなく、医療用指サックや釣り用指サックとしても利用可能である。
【符号の説明】
【００３５】１・・・リストバンド付き紙片めくり用指サック
２・・・指サック体
３・・・リストバンド
４・・・ストラップ
５・・・指サック収容スペース
６・・・係止体
７・・・指サック留めカバー
８・・・指サックの滑り止め効果を備える面
９・・・一対状係止体
２０・・・面状係止体
２１・・・サイズ調整ホック
３０・・・書籍
【図１】
0003215208.tif 000003
【図２】
0003215208.tif 000004
【図３】
0003215208.tif 000005
【図４】
0003215208.tif 000006
【図５】
0003215208.tif 000007
【図６】
0003215208.tif 000008
【図７】
0003215208.tif 000009
【図８】
0003215208.tif 000010
【図９】
0003215208.tif 000011
【図１０】
0003215208.tif 000012